【手続補正書】
【提出日】令和1年12月26日(2019.12.26)
【手続補正１】
【補正対象書類名】明細書
【補正対象項目名】発明の名称
【補正方法】変更
【補正の内容】
【発明の名称】集約されたケーブル試験結果データを適用するためのシステム及び方法、並びにクラウドベースのコンピュータサーバ
【手続補正２】
【補正対象書類名】特許請求の範囲
【補正対象項目名】全文
【補正方法】変更
【補正の内容】
【特許請求の範囲】
【請求項１】
試験結果データを認証するためのシステムであって、
少なくとも１つの通信ネットワークのケーブルを試験し、該試験に基づいて第１の試験結果データを出力するための試験手順を行うように構成された複数の第１の試験用デバイスと、
ネットワーク経由で前記複数の第１の試験用デバイスに連結されたクラウドベースのサーバデバイスと、を備え、前記サーバデバイスが、
前記第１の試験結果データを記憶するように構成されたデータベースと、
プロセッサであって、
前記複数の第１の試験用デバイスによって出力された前記第１の試験結果データの集約に基づいて統計値を決定し、
前記少なくとも１つの通信ネットワークのケーブルを試験し、該試験に基づいて第２の試験結果データを出力するための試験手順を行うように構成された第２の試験用デバイスから前記第２の試験結果データを受信し、
前記第２の試験結果データを前記統計値と比較し、
前記第２の試験結果データと前記統計値の前記比較に基づいて前記第２の試験結果データの認証状態を決定し、
前記認証状態に基づいて疑わしい動きの表示を出力するように構成された、プロセッサと、を含む、システム。
【請求項２】
前記プロセッサが、
前記第１の試験結果データの可能な対の組み合わせについてのそれぞれの対の構成要素間の差を決定し、
前記決定された差における１つ以上のパターンを検出し、
前記第２の試験結果データを前記１つ以上のパターンと比較し、
前記１つ以上のパターンとの前記比較に基づいて疑わしい動きの表示を出力するように更に構成されている、請求項１に記載のシステム。
【請求項３】
前記プロセッサが、前記第２の試験結果データに基づいて前記統計値及び前記１つ以上のパターンのうちの少なくとも１つを更新するように更に構成されている、請求項２に記載のシステム。
【請求項４】
前記統計値及び差が、ケーブルのうちの少なくとも１つについて行われた試験手順と関連付けられた時間に関連する、請求項２に記載のシステム。
【請求項５】
前記統計値及び差は、既定の仕様を満たす第１の試験結果データを得るために試験手順が前記ケーブルのうちの１つについて行われた回数に関連する、請求項２に記載のシステム。
【請求項６】
前記統計値及び差が、前記試験手順のうちの少なくとも１つを行うために前記複数の第１の試験用デバイスを使用するオペレータの数に関連する、請求項２に記載のシステム。
【請求項７】
前記統計値及び差が、前記試験手順のうちの少なくとも１つによって試験されたケーブルの長さ又はケーブルの量に関連する、請求項２に記載のシステム。
【請求項８】
前記プロセッサが、前記第１の試験結果データの前記集約と、前記１つ以上のパターンとを使用して、前記第２の試験結果データの認証状態を決定するように更に構成されている、請求項２に記載のシステム。
【請求項９】
前記認証状態の前記決定は、前記第２の試験結果データが、前記第１の試験結果データのインスタンスを複製すること、複数のケーブルの試験を装って特定のケーブルを複数回試験することと関連付けられていること、及び複数のケーブルの試験を装って異なるパッチコードを使用して特定のケーブルを複数回試験することから得られること、のうちの少なくとも１つであるかどうかを検出することを含む、請求項１に記載のシステム。
【請求項１０】
前記認証状態の前記決定が、前記第１の試験結果データの前記集約と、前記統計値及び前記１つ以上のパターンのうちの少なくとも１つとを使用して、前記第２の試験結果データが対応する試験レポートと誤って相関しているかどうかを検出することを含む、請求項２に記載のシステム。
【請求項１１】
前記プロセッサが、前記第１の試験結果データの前記集約と、前記統計値及び前記１つ以上のパターンのうちの少なくとも１つとを使用して、環境条件を前記第１の試験結果データへの影響と相関させるように更に構成されている、請求項２に記載のシステム。
【請求項１２】
前記プロセッサが、前記第１の試験結果データとの環境条件の前記相関に基づいて、前記環境条件に応答した通信ネットワークのケーブルへの影響を予測するように更に構成されている、請求項１１に記載のシステム。
【請求項１３】
前記環境条件が、温度、湿度、及び電磁干渉のうちの少なくとも１つから選択される、請求項１０に記載のシステム。
【請求項１４】
前記プロセッサが、前記第１の試験結果データの前記集約と、前記統計値及び前記１つ以上のパターンのうちの少なくとも１つとを使用して、前記第２の試験用デバイスのオペレータのパフォーマンスを測定するように更に構成されている、請求項２に記載のシステム。
【請求項１５】
前記複数の第１の試験用デバイスが、前記ケーブルの特性、データ通信のために前記ケーブルを使用する１人以上の顧客、及び前記複数の第１の試験用デバイスを操作したオペレータの識別のうちの少なくとも１つに基づいて、第１の試験用デバイスの集合から選択される、請求項１に記載のシステム。
【請求項１６】
クラウドベースのコンピュータサーバであって、
実行可能な命令を記憶するように構成されたメモリと、
前記命令の実行時に前記メモリと通信したプロセッサであって、
複数の第１の試験用デバイスによって出力され、少なくとも１つの通信ネットワークのケーブルを試験するために前記複数の第１の試験用デバイスによって行われた試験手順と関連付けられた、第１の試験結果データを受信し、
前記複数の第１の試験用デバイスによって出力された前記第１の試験結果データの集約に基づいて統計値を決定し、
第２の試験用デバイスから第２の試験結果データを受信し、
前記第２の試験結果データを前記統計値と比較し、
前記第２の試験結果データと前記統計値の前記比較に基づいて前記第２の試験結果データの認証状態を決定し、
前記認証状態に基づいて疑わしい動きの表示を出力するように構成された、プロセッサと、を備える、クラウドベースのコンピュータサーバ。
【請求項１７】
前記プロセッサが、
前記第１の試験結果データの可能な対の組み合わせについてのそれぞれの対の構成要素間の差を決定し、
前記決定された差における１つ以上のパターンを検出し、
前記第２の試験結果データを前記１つ以上のパターンと比較し、
前記１つ以上のパターンとの前記比較に基づいて疑わしい動きの表示を出力するように更に構成されている、請求項１６に記載のクラウドベースのコンピュータサーバ。
【請求項１８】
前記プロセッサが、前記第１の試験結果データの前記集約と前記１つ以上のパターンとを使用して、前記第２の試験結果データの認証状態を決定するように更に構成されている、請求項１７に記載のクラウドベースのサーバ。
【請求項１９】
試験結果データを認証する方法であって、
少なくとも１つの通信ネットワークのケーブルを試験し、該試験に基づいて第１の試験結果データを出力するための試験手順を行うように構成された複数の第１の試験用デバイスによって出力された前記第１の試験結果データの集約に基づいて統計値を決定することと、
前記少なくとも１つの通信ネットワークのケーブルを試験し、該試験に基づいて第２の試験結果データを出力するための試験手順を行うように構成された第２の試験用デバイスから前記第２の試験結果データを受信することと、
前記第２の試験結果データを前記統計値と比較することと、
前記第２の試験結果データと前記統計値の前記比較に基づいて前記第２の試験結果データの認証状態を決定することと、
前記認証状態に基づいて疑わしい動きの表示を出力することと、を含む、方法。
【請求項２０】
前記第１の試験結果データの可能な対の組み合わせについてのそれぞれの対の構成要素間の差を決定することと、
前記決定された差における１つ以上のパターンを検出することと、
前記第２の試験結果データを前記１つ以上のパターンと比較することと、
前記１つ以上のパターンとの前記比較に基づいて疑わしい動きの表示を出力することと、を更に含む、請求項１９に記載の方法。
【請求項２１】
前記第１の試験結果データの前記集約と、前記１つ以上のパターンとを使用して、前記第２の試験結果データの認証状態を決定することを更に含む、請求項２０に記載の方法。